(57)【要約】【課題】  拡大ライブビュー画像を表示するには、カメラから高画素な画像を取得して、表示装置で一部領域のみを切出して拡大することで可能ではあるが、大きなデータを扱うことになるためにライブビューの追従性は期待できない。また、ライブビューの拡大位置の移動命令を撮像装置へ行う際に、撮影者に直感的にわかりやすい操作を提供できていない。【解決手段】  本発明の表示制御装置は、タッチパネルに対する操作を受け付けて、撮像装置が撮像している範囲のうちから一部の領域を指定する指定手段と、指定手段で指定された領域の画像を切出して通信手段を介して送信するように要求する要求手段とを有することを特徴とする。【選択図】  図１
2014060500.tif 000002
【特許請求の範囲】
【請求項１】
撮像装置と通信する通信手段と、
画像を表示する表示部と、
前記表示部の上に配置されるタッチパネルと、
前記通信手段により前記撮像装置で撮影している画像を受信して、受信した画像を前記表示部に表する表示制御部と、
前記タッチパネルに対する操作を受け付けて、前記撮像装置が撮像している範囲のうちから一部の領域を指定する指定手段と、
前記指定手段で指定された領域の画像を切出して前記通信手段を介して送信するように要求する要求手段とを有することを特徴とする表示制御装置。
【請求項２】
前記指定手段は前記タッチパネルへのスライド操作を受け付けたことに応じて、前記指定手段で指定された領域を変更し、前記要求手段は変更された領域の画像を前記通信手段を介して前記表示制御装置に送信するよう要求することを特徴とする請求項１に記載の表示制御装置。
【請求項３】
前記撮像装置は、撮影指示がなされるまでに所定のタイミングで随時画像を取得し、前記通信手段を介して前記表示制御装置に画像を送信し、
前記表示制御部は所定のタイミングで随時取得された画像を表示することによってライブビュー画像を表示部に表示することを特徴とする請求項１または２に記載の表示制御装置。
【請求項４】
前記ライブビュー表示において、前記撮像装置が撮影する範囲全体を表示する全体表示と、前記撮像装置が撮像している範囲のうちから一部の領域を表示する拡大表示との切替を撮像装置に命令する手段を有することを特徴とする請求項３に記載の表示制御装置。
【請求項５】
画像を取得する撮像部と、
外部の表示制御装置と通信して、撮影指示がなされる前に随時取得している画像データを前記表示制御装置に送信する送信手段と、
前記表示制御装置から、前記撮像部が撮像している範囲のうちの一部の領域を指定する指示を受信する受信手段を有し、
前記送信手段は、前記受信手段で受信した指示に従って、前記撮像部が撮像している範囲のうちから、指定された前記一部の領域に対応する部分の画像を切出して前記画像表示装置に送信することを特徴とする撮像装置。
【発明の詳細な説明】
【技術分野】
【０００１】
本発明は、表示制御装置１００と撮像装置とを接続しリモート操作可能な場合において、表示制御装置１００から撮像装置に対して、ライブビュー拡大指示と拡大位置の移動操作とを行うことに関するものである。
【背景技術】
【０００２】
従来、商品撮影などで撮像装置を高所に設置して俯瞰での撮影や、自然動物の撮影などにおいて、遠隔制御で撮影を行う場合がある。この場合に、表示制御装置１００と撮像装置とを通信接続し、撮像装置の背面ディスプレイ画面に表示されるライブビュー表示と同様の表示を、遠隔に存在する表示制御装置のディスプレイに表示するのが便利である。
【０００３】
一方、近年スマートフォンやタブレットＰＣの様に、タッチパネルを有する表示装置が普及してきている。この様な表示装置のタッチパネルへの操作においてタッチおよびドラッグ操作で画像の拡大、縮小、スクロールなどの操作を行うことが出来るようになっている。（特許文献１参照）また、タッチパネルへのジェスチャー操作により画像を拡大、表示位置の変更を行うことも可能となっている。（特許文献２参照。）
【先行技術文献】
【特許文献】
【０００４】
【特許文献１】特開２００５−２３４１９９号公報
【特許文献２】特開２０１１−５００３８号公報
【発明の概要】
【発明が解決しようとする課題】
【０００５】
上述したリモート撮影において、撮影者は表示制御装置のディスプレイに表示された撮像装置のライブビュー画像を参照しながら、撮影対象の構図を決定し、フォーカス位置を決定するために、拡大ライブビュー画像で行うと、利便性が高い。
【０００６】
拡大ライブビュー画像を表示するには、カメラから高画素な画像を取得して、表示装置で一部領域のみを切出して拡大することで可能ではあるが、大きなデータを扱うことになるためにライブビューの追従性は期待できない。また現在のＵＳＢ通信など通信速度では、追従性を保ったまま大画像を通信するほど十分に早くない。
【０００７】
表示制御装置のタッチパネルディスプレイが小さい場合、拡大ライブビュー表示中に拡大すべき領域を移動する操作部材をライブビュー表示画面上に配置すると、ライブビュー表示が部材によって隠れてしまい、焦点位置の確認がしづらくなる問題がある。また、ライブビュー表示画面外に配置する場合は、部材によりライブビュー画面の表示面積が小さくなり画面の確認がしづらくなる。先行技術のように、タッチ操作使った方法はあるが、ライブビューの拡大位置の移動命令を撮像装置へ行う際に、撮影者に直感的にわかりやすい操作ではなく、そのための対策が求められている。
【０００８】
そこで本発明では、リモート撮影においてライブビュー表示を行う場合に、撮影から表示までのタイムラグを少なくすることを目的とする。
【０００９】
さらに本発明では、リモート撮影において拡大ライブビュー表示を行う場合に、撮影から表示までのタイムラグを少なくすることを目的とする。
【００１０】
さらに、本発明では、タッチパネルディスプレイを用いた機器においてリモート撮影にて拡大ライブビュー表示を行う場合に、ライブビュー画像を隠すような表示部材を配置しなくても、拡大位置の移動操作が可能となる。そして、撮影者がタッチとスライドを組み合わせて操作することにより、直感的にライブビューの拡大位置の移動を行えることを目的とする。
【課題を解決するための手段】
【００１１】
かかる課題を解決するため、本発明の表示制御装置は、撮像装置と通信する通信手段と、画像を表示する表示部と、表示部の上に配置されるタッチパネルと、通信手段により撮像装置で撮影している画像を受信して、受信した画像を前記表示部に表する表示制御部と、タッチパネルに対する操作を受け付けて、撮像装置が撮像している範囲のうちから一部の領域を指定する指定手段と、指定手段で指定された領域の画像を切出して通信手段を介して送信するように要求する要求手段とを有することを特徴とする。
【００１２】
また、本発明の撮像装置は、画像を取得する撮像部と、外部の表示制御装置と通信して、撮影指示がなされる前に随時取得している画像データを表示制御装置に送信する送信手段と、表示制御装置から、撮像部が撮像している範囲のうちの一部の領域を指定する指示を受信する受信手段を有し、送信手段は、受信手段で受信した指示に従って、撮像部が撮像している範囲のうちから、指定された一部の領域に対応する部分の画像を切出して画像表示装置に送信することを特徴とする。
【発明の効果】
【００１３】
本発明によれば、撮影者が撮像装置２とリモート接続した表示制御装置１００のタッチパネルディスプレイを操作しリモートライブビューでの拡大位置の移動を行う上で、ライブビュー画面を拡大位置移動のための表示部材で隠すことなく、移動先の位置をわかりやすく、操作性の良いタッチ操作で実現することができる。
【００１４】
また、撮像装置へ命令して、表示制御装置のディスプレイに表示された拡大ライブビュー画像に対応した部分のみを、カメラ側で切出して送信してもらうので、通信負荷と表示負荷を軽減でき、追従性が良くなると期待出来る。
【図面の簡単な説明】
【００１５】
【図１】本発明に係る撮像装置２の実施の形態を示すシステム構成図である。
【図２】本発明に係る撮像装置２の構成を示すブロック構成図である。
【図３】本発明に係る表示制御装置１００の構成を示すブロック構成図である。
【図４】リモート撮影画面上の構成とライブビュー拡大位置の移動制御に係る構成とを示す図である。
【図５】リモート撮影画面上の構成とライブビュー拡大位置の移動制御に係る構成とを示す図である。
【図６】リモート撮影画面上の構成とライブビュー拡大位置の移動制御に係る構成とを示す図である。
【図７】実施例１に係るリモートライブビュー制御方法の制御手順を示すフローチャート。
【図８】実施例１に係るライブビュー拡大位置の移動制御方法の制御手順を示すフローチャート。
【発明を実施するための形態】
【００１６】
以下に、本発明の好ましい実施の形態を、添付の図面に基づいて詳細に説明する。図１は、本発明の実施形態にかかわるシステム構成図である。
【実施例１】
【００１７】
以下に、本発明の形態を示す実施例１を表す。
【００１８】
図１に交換レンズ式の撮像装置２の概略図を示す。
【００１９】
交換可能なレンズ１は、一般的に、焦点距離を可変するためのズームレンズ１１、明るさを制御するための絞り機構１２、被写体にピントを合わせるためのフォーカスレンズ１３を有している。また、この交換式レンズ１は、レンズ側のマウント１４が撮像装置２のマウント部２７と機械的に接合することができる様になっている。撮像装置２は、レンズを通過してきた光を２１のハーフミラーで反射させ、ピント板２４の位置で結像させる。ピント板２４で結像した光は、プリズム２５で反転され、接眼レンズ２６を通して正立像として観測できる。
【００２０】
また、撮影時には、ハーフミラー２１が跳ね上がり、シャッター２２が開き、レンズ１を通過してきた光が、撮像素子２３に結像する。
【００２１】
交換可能なレンズ１のマウント部１４には、接点群１５が組み込まれている。この接点群１５は、撮像装置２本体から、電源を供給し、通信を行うための接点（不図示）である。接点群１５としては、電源、グランド、送信、受信、クロックなどの用途にそれぞれ分かれている。
【００２２】
この交換可能なレンズ１のマウント部１４は、撮像装置２のマウント部２７と接合することによって、マウント部１４にある接点群１５とマウント部２７にある接点群２８の中の接続端子が各々つながる。
【００２３】
その結果、接続端子を経由して撮像装置２から、交換可能なレンズ１に電源が供給され、交換可能なレンズ１と撮像装置２の間で通信が開始される。
【００２４】
６０は、通信ケーブルであり、外部の表示制御装置１００と接続して通信を可能とする。撮像装置２と表示制御装置はそれぞれ不図示の通信インターフェースを備えており、ケーブル６０を介して接続して通信が可能となっている。撮像装置２の通信インターフェースは、表示制御装置に対して画像を送信する送信手段として機能するし、表示制御装置からの各種の要求や命令を受信する受信手段としても機能する。
【００２５】
次に、図２に撮像装置２の内部のブロック構成について示す。
【００２６】
撮像素子２３は、ＣＣＤやＣＭＯＳのようなセンサーであり、撮像素子２３に結像した光は、撮像素子２３内の各画素において，入射光量に応じた量の電荷に変換される。
【００２７】
タイミングジェネレータ３２が発生させる信号は、撮像素子２３を駆動し、センサーに蓄積した電荷を伝送し、順次電圧信号に変換される。
【００２８】
前記変換された電圧信号は、相関二重サンプリング３０（以下ＣＤＳと呼ぶ）でサンプリングされ，Ａ／Ｄ変換器３１でデジタル信号に変換される。
【００２９】
撮像素子２３、相関二重サンプリング３０、Ａ／Ｄ変換器３１の全体で画像を取得可能となっており、これらをまとめて本撮像装置の撮像部として機能する。
【００３０】
デジタル信号に変換された画像データは、ＩＣ３３に入力され、まず、前記データに対してホワイトバランスのためのデータを算出するためのＷＢ回路３３ａに入り、３５のメモリ１にいったん格納される。
【００３１】
３５のメモリ１に格納されたデータは、再びＩＣ３３に入力され、３つの画像処理を施される。
【００３２】
まず、デジタル信号に変換された画像データは、そのままロスレス圧縮（可逆圧縮）をかけるロスレス圧縮回路３３ｄにおいてロスレス圧縮されたＲＡＷデータに変換されＣＰＵバス３４に送り出される。
【００３３】
また、デジタル信号に変換された画像データはＣＰＵバス３４に送られる。
【００３４】
最後に、ｊｐｅｇ圧縮するための画像を作るために、画像処理回路３３ｂにおいて画像処理を施され、その結果出力されるＹｃｂＣｒは、ラスタブロック変換されて、ｊｐｅｇ圧縮回路３３ｅでｊｐｅｇ圧縮をされて、ＣＰＵバス３４に送られる。
【００３５】
ＣＰＵ３６は、電源が投入された直後、３７のメモリ２内部のプログラムに従い、撮像装置２を初期化し、交換レンズと通信を開始する。
【００３６】
また、ＣＰＵは、撮影された画像データでＣＰＵバス３４に出力された画像データを一度３５のメモリ１に格納し、インターフェース回路３８を介して外部メモリ３９に最終的に書き込む。
【００３７】
ＣＰＵ３６につながるスイッチ４０は、レリーズスイッチであり、スイッチ４０を押すことによって、上記の撮影の動作が行われ、外部メモリ３９に画像が書き込まれる。
【００３８】
また、ライブビュー表示時には、ハーフミラー２１が跳ね上げ、シャッター２２を開き、レンズ１を通過してきた光が、撮像素子２３に結像する。撮影された画像データを３７のメモリ２に保存し、ＶＲＡＭ４０へライブビュー画像を書き込み、ディスプレイ制御用のビデオＩＣ４１により、撮像装置２に設置される背面ディスプレイ４３へライブビュー表示を行う。
【００３９】
ライブビュー表示は撮影された画像を一定間隔で更新し、光学ファインダーを通して行う撮影対象の確認を代替する。
【００４０】
図３に、本発明を適用可能な表示制御装置１００の構成の一例としてのブロック図を示す。表示制御装置１００は、パーソナルコンピュータおよびスマートフォン（以下、ＰＣ）などを用いて構成可能なものである。
【００４１】
図３において、内部バス１５０に対してＣＰＵ１０１、メモリ１０２、不揮発性メモリ１０３、画像処理部１０４、表示部としてのディスプレイ１０５、操作部１０６、記録媒体Ｉ／Ｆ１０７、外部Ｉ／Ｆ１０９、通信Ｉ／Ｆ１１０が接続されている。内部バス１５０に接続される各部は、内部バス１５０を介して互いにデータのやりとりを行うことができるようにされている。
【００４２】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、表示制御装置１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００４３】
画像処理部１０４は、ＣＰＵ１０１の制御に基づいて、不揮発性メモリ１０３や記録媒体１０８に格納された画像データや、外部Ｉ／Ｆ１０９を介して取得した映像信号、通信Ｉ／Ｆ１１０を介して取得した画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００４４】
表示部としてのディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、表示制御部としても機能し、プログラムに従い表示制御信号を生成し、ディスプレイ１０５に表示するための映像信号を生成してディスプレイ１０５に出力するように表示制御装置１００の各部を制御する。ディスプレイ１０５は出力された映像信号に基づいて映像を表示する。なお、表示制御装置１００自体が備える構成としてはディスプレイ１０５に表示させるための映像信号を出力するためのインターフェースまでとし、ディスプレイ１０５は外付けのモニタ（テレビなど）で構成してもよい。
【００４５】
操作部１０６は、キーボードなどの文字情報入力デバイスや、マウスやタッチパネルといったポインティングデバイス、ボタン、ダイヤル、ジョイスティック、タッチセンサー、タッチパッドなどを含む、ユーザ操作を受け付けるための入力デバイスである。なお、タッチパネルは、ディスプレイ１０５に重ね合わせて平面的に構成され、接触された位置に応じた座標情報が出力されるようにした入力デバイスである。これにより表示すべき位置の指定や、拡大位置の移動等の操作を行うことが出来る。
【００４６】
記憶媒体Ｉ／Ｆ１０７は、メモリカードやＣＤ、ＤＶＤといった記録媒体１０８が装着可能とされ、ＣＰＵ１０１の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器やインターネット１１１などと通信して、ファイルやコマンドなどの各種データの送受信を行うためのインターフェースである。
【００４７】
なおＣＰＵ１０１は、操作部１０６に含まれるタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１５０を通じてＣＰＵ１０１に通知され、ＣＰＵ１０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサー方式等、様々な方式のタッチパネルのうちいずれの方式のものを用いても良い。
【００４８】
次に、本発明の外部インターフェース３８を介して図１中の表示制御装置１００と接続した撮像装置２におけるリモートレリーズ制御の方法を説明する。
【００４９】
ライブビュー表示画面の表示は、表示制御装置１００の操作部１０６とディスプレイ１０５を組み合わせた、タッチパネルディスプレイ５１に表示する。
【００５０】
図４は、表示制御装置１００における、タッチパネルディスプレイ５１の表示例で、リモートライブビューでの画像表示と、操作部を表示している。無線または有線接続により、表示制御装置１００と撮像装置２が通信しているときに、所定のプログラムに基づく所定の動作を実行することによりライブビューが開始される。これにより、撮像装置２からライブビュー画像が表示制御装置１００へ送られ、操作・表示パネル３１０に設置されるライブビュー表示画面３１１に、図４（ａ）の様なライブビュー表示がなされる（リモートライブビュー撮影手法）。このライブビュー表示は、撮影者が撮影指示を行わなくても、カメラが所定のタイミングで随時画像を取得し、通信手段を介して表示制御装置に画像を送信することで実現する。
【００５１】
前記表示制御部は所定のタイミングで随時取得された画像を表示することによって
ライブビュー表示画面３１１上には非拡大時にライブビュー拡大枠３１５が表示されており、このときに撮影者がライブビュー表示画面３１１を２回タップするなどの操作を行うと、図４（ｂ）に示すように拡大ライブビュー表示に切り替わる。もしくは、リモートライブビューの操作・表示パネル３１１上に配置された拡大／縮小アイコン（以下、拡大・縮小ボタン３１２）を操作することで、図４（ｂ）に示すように拡大ライブビュー表示に切り替わる。
【００５２】
拡大していない通常のライブビュー表示時は、撮影している範囲全体が表示制御装置に送られて、表示制御装置は送られた画像全体を表示する。拡大・縮小ボタン３１２を押すと拡大ライブビュー表示に切替ることが出来る。また、拡大ライブビュー表示しているときにもう一度拡大・縮小ボタン３１２を押すと、通常のライブビュー表示時に切り替わる。
【００５３】
このライブビュー拡大枠３１５は、撮像している範囲のうちから拡大表示すべき一部の領域を指定することが出来る。ライブビュー拡大枠３１５はタッチパネル操作により矩形の２点を指定することで生成されるように変更することも可能である。
【００５４】
撮影者の操作により、ライブビュー表示を拡大した状態において、撮影者がライブビュー拡大位置を変更する場合、ライブビュー表示画面３１１にタッチ（図５（ａ））しタッチしたまま移動したい方向と逆方向へ指をスライドする（図５（ｂ））。この時、スライドにしたがってライブビュー表示画面３１１は移動する。撮影者がスライド操作しライブビュー表示画面に表示されている画像を移動したい位置で指を操作・表示パネル３１０から離すと、離した時点でのライブビュー表示画面３１１の移動量を指定し、撮像装置２から取得したライブビュー画像の座標系と拡大率から移動量を割り出す。そして、移動量のＸ軸方向、Ｙ軸方向の座標をそれぞれマイナスした逆数の座標を移動先の座標として、表示制御装置１００から撮像装置２へライブビュー拡大位置の移動先の座標を送信する。撮像装置２は、受信した移動先の座標の情報に基づき、撮像している範囲のうちから切出している領域を移動し、移動後の切出し領域の画像を表示制御装置に送信する。表示制御装置１００は、移動後のライブビュー拡大画像を撮像装置２から取得しライブビュー表示画面３１１に表示する（図６）。
【００５５】
図７は本実施例のライブビュー拡大・縮小の制御フローチャートである。
【００５６】
撮像装置２は、インターフェース３８を介して、表示制御装置１００と接続される。表示制御装置１００は、撮像装置２と通信を行い、撮像装置２の内部の撮影設定や現在の状態などの情報を得ることができる。
【００５７】
ステップＳ１０１で撮像装置２および表示制御装置１００を共に電源を入れ、通電させ動作可能な状態にする。
【００５８】
ステップＳ１０２で表示制御装置１００から撮像装置２へ、現在の表示制御装置１００の設定情報を通知して、撮像装置２は表示制御装置１００の設定状態を受信する。
【００５９】
ステップＳ１０２で撮像装置２から表示制御装置１００へ、現在のカメラ設定情報を通知し、表示制御装置１００は撮像装置２の状態を受信する。
【００６０】
ステップＳ１０２で撮像装置２から受信した設定情報とは、撮影モードの設定状態、ホワイトバランスの設定情報、ライブビュー状態などの各情報である。
【００６１】
撮像装置２の設定情報は撮像装置２の状態が撮影者による設定変更された場合、表示制御装置１００からの撮像装置２への設定変更された場合により、撮像装置２から表示制御装置１００へ更新通知される。
【００６２】
ステップＳ１０３では、表示制御装置１００にてリモートライブビューの開始を撮像装置２へ通知し、撮像装置２はライブビューを開始する。
【００６３】
ステップＳ１０４では、表示制御装置１００は撮像装置２からライブビュー画像を一定間隔で受信しタッチパネルディスプレイ５１のライブビュー表示画面３１１のライブビュー表示を更新する。
【００６４】
ステップＳ１０５では、ステップＳ１０４にて取得したライブビュー画像に付帯している拡大枠の座標情報を取得する。
【００６５】
ステップＳ１０６では、撮像装置２から得られた拡大枠情報とライブビュー画像を、リモートライブビュー画面３１１へ表示する。
【００６６】
ステップＳ１０７では、撮影者により拡大・縮小ボタン３１２を押されたかどうかを判定し、押されていた場合はステップＳ１０８に進み、押されていなかった場合、ステップＳ１０９へ進む。
【００６７】
ステップＳ１０８では撮像装置２へ現在ライブビュー拡大状態だった場合、ライブビューを通常の表示に戻すように命令し、通常のライブビュー表示だった場合拡大命令を拡大・縮小命令を撮像装置２へ行う。
【００６８】
ステップＳ１０９では、撮像装置２側のライブビューの終了操作または、コンピュータ５０にてユーザがリモートライブビューの終了操作を行ったことを判断し、その答えが肯定（ＹＥＳ）の場合はステップＳ１０９に進む。その答えが否定（ＮＯ）のときは、ステップＳ１０４へ戻りユーザ操作（オペレーション）を判断する。
【００６９】
ステップＳ１１０では、操作・表示パネル３０１閉じ撮像装置２へライブビューの終了を通知し、リモートライブビューを終了する。
【００７０】
ステップＳ１１１にて通信が切断された場合、ステップＳ１１２にて電源をＯＦＦし終了する。
【００７１】
図８は本実施例のライブビュー拡大時の拡大位置移動制御フローチャートであり、図７で示したフローチャートで示した拡大・縮小プロセスのなかで、ライブビュー拡大後の制御ついて示している。
【００７２】
ステップＳ２０１では、撮影者がライブビュー表示画面３１１をスライドしたか否かを判定し、スライドしたことを判定した場合ステップＳ２０２へ進む。スライドしていなければステップＳ２０３へ進む。
【００７３】
ステップＳ２０２では、スライド操作方向にしたがってライブビュー表示画面３１１を操作に追従して移動しステップＳ２０３へ進む。
【００７４】
ステップＳ２０３では、撮影者がライブビュー表示画面３１１からスライドさせた指を離したかどうかを判定し、離した場合ステップＳ２０４へ進み、離してしていなかった場合ステップＳ２０１へ進み撮影者がライブビュー表示画面３１１を操作することを待つ。
【００７５】
ステップＳ２０４では、撮影者が指を離した時点でのライブビュー表示画面３１１の位置と移動開始時のライブビュー表示画面３１１の初期位置から横Ｘ、縦Ｙの移動量を算出しステップＳ２０５へ進む。
【００７６】
ステップＳ２０５では、撮像装置２から得られる現在のライブビュー拡大画像の拡大率とライブビュー表示画面３１１の移動量の逆数（ライブビュー表示画面のＸ軸方向移動量とＹ軸方向移動量をそれぞれマイナス）を算出する。これにより、ライブビュー画像の座標系での移動先の座標を計算し、ステップＳ２０６へ進む。
【００７７】
ステップＳ２０６では、ステップＳ２０５にて算出したライブビュー拡大位置の座標への拡大位置移動を撮像装置２へ指示しステップＳ２０７へ進む。
【００７８】
ステップＳ２０７では、スライドしたライブビュー表示画面３１１をスライド開始時の元の位置に戻してステップＳ２０１へ戻りユーザ操作（オペレーション）を判断する。
【００７９】
以上説明したように、撮像装置へ命令して、表示制御装置のディスプレイに表示された拡大ライブビュー画像に対応した部分のみを、カメラ側で切出して送信してもらうと、通信負荷と表示負荷を軽減でき、追従性が良くなると期待出来る。
【００８０】
また、拡大ライブビュー表示を確認しながら焦点位置を調節することを可能にするとともに、タッチパネルへのスライド操作により拡大位置の移動命令を撮像装置に行い、移動後の拡大ライブビュー画像を撮像装置から取得し表示を行うこととした。これにより、移動ボタンなどを表示しなくても拡大ライブビューで拡大すべき領域の変更を可能とし、また、拡大ライブビュー画像に対応した部分のみを、カメラ側で切出して送信してもらうと、通信負荷と表示負荷を軽減でき、追従性も良い。
【００８１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００８２】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８３】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８４】
その場合、プログラムの機能を有していれば、オブジェクトコード、インタプリタにより実行されるプログラム、ＯＳに供給するスクリプトデータ等、プログラムの形態を問わない。
【００８５】
プログラムを供給するための記録媒体としては、例えば、ハードディスク、磁気テープ等の磁気記録媒体、光／光磁気記憶媒体、不揮発性の半導体メモリでもよい。
【００８６】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００８７】
１  交換可能なレンズ
２  レンズ交換可能な撮像装置２本体
２３  撮像素子
３３  画像処理ＩＣ
３７  光学補正データを格納するメモリ
３８  外部記憶手段や、コンピュータと撮像装置２を接続するためのインターフェース
３９  外部記憶手段
【図１】
2014060500.tif 000003
【図２】
2014060500.tif 000004
【図３】
2014060500.tif 000005
【図４】
2014060500.tif 000006
【図５】
2014060500.tif 000007
【図６】
2014060500.tif 000008
【図７】
2014060500.tif 000009
【図８】
2014060500.tif 000010